(57)【特許請求の範囲】
【請求項１】
折り部より巻き込み状に一方向に折り畳んで封筒外形紙を構成する封筒用紙と、この封筒用紙よりも少なくとも三周辺のサイズが短いサイズからなるとともに、前記封筒用紙の折り部に対応して折り部を有する所定枚の通信紙とからなり、
前記所定枚の通信紙が前記封筒用紙の上に重ね合わされて一端側が綴じ合わされ、前記通信紙には、返信封筒外形紙の一方を構成する返信封筒用紙が、該返信封筒用紙の長辺が前記折り部と直交するようにして重ね合わされ、相対した三周辺が接着されて返信封筒が形成されてなることを特徴とする返信封筒入り封筒用帳票。
【発明の詳細な説明】
【０００１】
【発明の属する技術分野】
本発明は返信封筒を備えた封筒を作製するための帳票に関するものである。
【０００２】
【発明が解決しようとする課題】
従来から、銀行やクレジット会社などの金融機関、通信販売やデパートなどのサービス提供を行う業者などにおいて、顧客に対して新規な商品やサービスの案内を行う場合、そのサービス商品の紹介を掲載した案内状や申し込み書などとして情報を送るための通信紙と、前記申し込み書とされたものと受取人側から前記金融機関やサービス業者側へ送ることのできるように返信封筒とを組み合わせて各顧客へ送付するようにしていた。そして、このような通信紙と返信封筒とを組み合わせ、往信用の封筒に入れて顧客側に送るという手間を軽減するために、往信としての封筒を作製する際に予め、前記通信紙と返信封筒とを所持させるようにしたものが提案されている。
図４は予め返信封筒を所持する封筒が得られるようにした返信封筒入り封筒用帳票１の一例を示している。該封筒用帳票１は封筒用紙２と所定枚の通信紙３とからなり、前記封筒用紙２は折り部４より巻き込み状に一方向に折り畳んだときに封筒外形紙を構成するようにしたものであり、また、通信紙３は前記封筒用紙２よりも少なくとも三周辺のサイズが短いサイズとされ、前記封筒用紙２の折り部４に対応した折り部４を有し、その所定枚の通信紙３がそれぞれの折り部４を一致させる形で封筒用紙２の上に重ね合わされ、一端側で綴じ合わされている。そして、例えば、最下位の通信紙３には折り部４に沿う形で返信封筒用紙５が重ね合わされ、相対する三周辺を接着して一辺開口形の返信封筒６を形成しており、前記返信封筒用紙５が返信封筒外形紙の一方を構成し、前記通信紙３において前記返信封筒用紙５が対向する部分を返信封筒外形紙の他方として構成するようにしていた。
前記通信紙３には往信の封筒受取人側への各種連絡事項、案内文、広告などが掲載されているが、上記返信封筒を構成する部分にあっては返信封筒の宛名情報が予め印刷などにより設けられている。勿論、返信封筒用紙側にこれらの宛名情報を設けるようにすることもある。このようにして形成された封筒用帳票１にあっては綴じ合わせ部分が内方となるように巻き込み状に一方向に折畳み、この巻き込みで相対する封筒用紙の上辺、下辺を封着し、また前記綴じ合わせ部分と対向する側の側辺を巻き込みしたときの終端として封筒外表面に貼り合わせることで往信用としての封筒が得られるようにしている。なお、封筒用紙２の上辺、下辺に沿っては往信の封筒形成時に前述したように封着されるが、往信の封筒を開封し易くするために図示されているようにその上辺、下辺に沿って切取りミシン目を設けている。
【０００３】
しかしながら、上記封筒用帳票では上述したように通信紙を封筒用紙よりも少なくとも三周辺のサイズが短いサイズとし、巻き込み状に折り合わせたときに対向する上辺および下辺を封着し、側辺を往信封筒の封緘片として外表面に接着する構造であるため、内蔵した返信封筒は、封着する前記上下辺に掛からない寸法として予め設定しておかなければならない。即ち、往信としての封筒を規定最大限の大きさとしても、返信封筒自体はこの往信封筒内で縦置きされる配置であり、必然的に規定最大限の大きさとすることができない。さらに、前記返信封筒にあっては三周辺を接着しているため、収納部分として利用できる領域の内寸が返信封筒の外寸よりかなり小さくなっている。このような点から、この返信封筒に入れるために用意される申し込み書などの通信紙は、返信封筒の開口幅に応じて収めることでできる寸法（封筒開口辺の長さ方向に沿った寸法、即ち、折り部に沿った方向での寸法）にすることが考えられるが、情報を設けるための掲載領域や申し込み事項を記載するための領域などが小さくなってしまうという問題が発生している。そして、通信紙を小さくすることなく折り方向が交差する形で四つ折りなどすれば、その通信紙自体が小さくなって返信封筒に収めることができるが、内部に収めた通信紙の折り戻しなどで膨らみ易く、かさ張った形態になってしまうという不都合がある。
そこで本発明にあっては、返信封筒の寸法を大きく設定することを課題とし、通信紙を小さくする必要を無くし返信封筒のかさ張りを生じさせないことを目的とする。
【０００４】
【課題を解決するための手段】
本発明は上記課題を考慮してなされたもので、折り部より巻き込み状に一方向に折り畳んで封筒外形紙を構成する封筒用紙と、この封筒用紙よりも少なくとも三周辺のサイズが短いサイズからなるとともに、前記封筒用紙の折り部に対応して折り部を有する所定枚の通信紙とからなり、前記所定枚の通信紙が前記封筒用紙の上に重ね合わされて一端側が綴じ合わされ、前記通信紙には、返信封筒外形紙の一方を構成する返信封筒用紙が、該返信封筒用紙の長辺が前記折り部と直交するようにして重ね合わされ、相対した三周辺が接着されて返信封筒が形成されてなることを特徴とする返信封筒入り封筒用帳票を提供して、上記課題を解消するものである。
【０００５】
【発明の実施の形態】
つぎに本発明を図１から図３に示す実施の形態に基づいて詳細に説明する。なお、図４に示す従来例と構成が重複する部分は同符号を付してその説明を省略する。
本発明の返信封筒入り封筒用帳票１において、往信である封筒の封筒外形紙を構成する封筒用紙２と所定枚の通信紙３とを一端側で綴じ合わせ、綴じ合わせ部分が内方となるように折り部４から巻き込み状に三つ折りで折り合わせて、封筒用紙２においてその巻き込み状の折畳みで対向する上辺、下辺とを封着できるようにするために、また、封筒用紙２の巻き込み状折りでの終端としての側辺が封筒外表面に接着できるようにするために通信紙３が封筒用紙２よりも少なくとも三周辺のサイズを短いサイズとしている点では従来例と同じである。
そして本発明では、例えば、最下位の通信紙３とで返信封筒６を構成できるようにした返信封筒用紙５は、該返信封筒用紙５の長辺７が通信紙３の下辺３ａに沿いながら折り部４と直交するようにしてその通信紙３と重ね合わせており、通信紙３と返信封筒用紙５との相対した三周辺が接着されて巻き込み方向に沿う方向に返信封筒６が形成されている。このように、返信封筒６はこの返信封筒６の長手方向が折り部４の方向と直交するようにして配置されているため、返信封筒６の長手方向の寸法は、従来例の如く往信用の封筒での折り部４に沿った方向での内寸の影響を受けるとが無く、大きく設定することができる。また、同様に、返信封筒６の短手方向の寸法は折り部４に沿った方向において大きく設定できるため、返信封筒自体を大きさを大きくしてこの返信封筒に収める通信紙を小型のものとする必要や折りを交差させて折り畳んで小さくして返信封筒に収める必要が無い。
図において８は返信封筒６を分離するための切取りミシン目であり、この切取りミシン目８で区分することにより返信封筒６における封緘片９を通信紙において構成している。
このようにした封筒用帳票１は従来と同じように綴じ合わせ部分が内方となるようにして折り部４から一方向に巻き込み状に折畳み、封筒用紙２の上辺、下辺を封着し、封筒用紙２の側辺（綴じ合わせ部分と対向する側の辺）を巻き折りの終端として封筒外表面に接着することで往信用の封筒１０が得られる。
【０００６】
【発明の効果】
以上説明したように本発明の返信封筒入り封筒用帳票によれば、折り部より巻き込み状に一方向に折り畳んで封筒外形紙を構成する封筒用紙と、この封筒用紙よりも少なくとも三周辺のサイズが短いサイズからなるとともに、前記封筒用紙の折り部に対応して折り部を有する所定枚の通信紙とからなり、前記所定枚の通信紙が前記封筒用紙の上に重ね合わされて一端側が綴じ合わされ、前記通信紙には、返信封筒外形紙の一方を構成する返信封筒用紙が、該返信封筒用紙の長辺が前記折り部と直交するようにして重ね合わされ、相対した三周辺が接着されて返信封筒が形成されてなることを特徴とするものである。このように、巻き込み状に往信の封筒の内方に位置することになる通信紙に対して、その巻き込み方向に沿う形で返信封筒用紙が重ね合わされるものとなり、その通信紙と返信封筒用紙とで巻き込み方向を長手方向とした返信封筒が形成でき、よって、返信封筒自体の長手方向の寸法を、往信封筒の長手方向の内寸に影響されることなく設定でき、また、返信封筒の短手方向の寸法も、往信封筒の長手方向の内寸内で設定できるため、返信封筒を従来の封筒用帳票に対して構成されていたものに比べて大きく形成でき、よって、この返信封筒に収める通信紙も小さくしたり、折りを交差させて小さく折り畳むなどの必要がなく、通信紙の拡大化が図れ、通信紙を入れたときの往信封筒も膨らむことなく形状が整ったものとなるなど、実用性に優れた効果を奏するものである。
【図面の簡単な説明】
【図１】本発明に係る返信封筒入り封筒用帳票の一例を示す説明図である。
【図２】一例を断面で示す説明図である。
【図３】巻き込み状に折り畳んだ往信時の形態を断面で示す説明図である。
【図４】従来例を示す説明図である。
【符号の説明】
１…封筒用帳票  ２…封筒用紙  ３…通信紙
４…折り部  ５…返信封筒用紙  ６…返信封筒
１０…往信用の封筒
【図１】
0003686524.tif 000002
【図２】
0003686524.tif 000003
【図３】
0003686524.tif 000004
【図４】
0003686524.tif 000005